(57)【要約】【課題】原稿読取時の背景色の変更を自動的に行なえ、しかも通常の原稿読取用の白色面とシェーディング用の白色面を備えていて常に的確なシェーディング補正を行える画像読取装置を提供する。【解決手段】原稿搬送路を挟んで画像読取部と、複数の読取背景面を備えた背景体とを配置する。背景体の一側に背景体の駆動構造と、規制体を設ける。規制体は、背景面と前記読取ガラスとの対向間隔を規定する。規制体の周面に位置決め面と、隣接する位置決め面を連続させる曲面状のガイド面とを形成する。駆動構造は、背景体の一側に固定される受動体と、受動体を介して背景体を所定角度づつ回転操作する切換具と、切換具を往復操作するソレノイドで構成する。【選択図】図１
2009290801.tif 000002
【特許請求の範囲】
【請求項１】
原稿搬送路を挟んで画像読取部と、複数の背景面を備えた背景体とが配置されており、
前記背景体を回転操作する駆動構造と、
前記背景面と前記読取ガラスとの対向間隔を規定する規制体とが設けられており、
前記規制体の周面に位置決め面と、隣接する前記位置決め面を連続させる曲面状のガイド面とが形成してある画像読取装置。
【請求項２】
前記規制体の両端が、ベースフレームで回転自在に支持されており、
前記規制体は、前記読取ガラスに対して接近ないし遠ざかる向きへスライド可能に支持されており、
前記規制体がばねで前記読取ガラスへ向かって付勢してある請求項１に記載の画像読取装置。
【請求項３】
前記駆動構造が、前記背景体の読取範囲の外に配置される受動体と、
前記受動体を介して前記背景体を所定角度づつ回転操作する切換具と、
前記切換具を往復操作するソレノイドを含んで構成してある請求項１または２に記載の画像読取装置。
【請求項４】
前記背景体の読取範囲の外に、前記読取ガラスと正対している前記背景面を検知するセンサーが設けてある請求項１、２または３に記載の画像読取装置。
【請求項５】
前記背景体の外面に、複数個の背景面が設けられており、
前記各背景面における原稿搬送方向の上流側に、原稿が前記各背景面に接触するのを規制する突起が形成してある請求項１、２、３または４に記載の画像読取装置。
【請求項６】
前記切換具が、前記ソレノイドの出力ロッドに固定されるホルダーと、
前記ホルダーに装着されて、前記切換具を回転操作する操作ピースとを含み、
前記操作ピースは、駆動位置と、退避位置とに揺動できる状態で前記ホルダーに装着されており、
前記操作ピースが、復帰ばねで駆動位置へ向かって付勢してある請求項３、４または５に記載の画像読取装置。
【請求項７】
原稿搬送路を挟んで画像読取部と、背景体とが配置されており、
前記背景体は、それぞれ白色の背景面を備えた一対の板状体で構成されており、
前記板状体を回動操作する駆動構造が設けられてある画像読取装置。
【請求項８】
前記駆動構造が、正逆転モータと、
正逆転モータの回転動力を一対の板状体に伝動するギヤとを含んで構成してある請求項７に記載の画像読取装置。
【発明の詳細な説明】
【技術分野】
【０００１】
本発明は、コピー機、ファクシミリ機、スキャナ機などの画像読取装置に関し、なかでも読取ガラスと正対する背景体の背景面を変更するための構造の改良に関する。
【背景技術】
【０００２】
画像読取装置において、複数の背景面を備えた背景体を駆動操作して、読取ガラスと正対する背景面を択一的に選定することは特許文献１に公知である。そこでは、背景ローラ（背景体）の周面半分に白色の背景面を設け、残る半分に黒色の背景面を設けて、背景ローラをステッピングモーターで回転駆動することにより、白色と黒色の背景面を読取ガラスに択一的に正対できるようにしている。
【０００３】
同様の背景体を備えた画像読取装置は特許文献２にも開示されている。そこでは平板状の背景体の板面半分に白色の背景面を設け、残る半分に黒色の背景面を設けて、背景体を往復スライドすることにより、読取ガラスと正対する背景面を択一的に選定できるようにしている。特許文献３では、原稿を読み取る時に常時回転するローラの周面に白色の背景面を設け、その周面の一部に帯状の黒色の検出マークを設けて、検出マークを通過するときの原稿サイズを判定できるようにしている。
【０００４】
本発明の画像読取装置では、四角枠状の背景体を回転操作して、原稿読取時の背景色を白色と黒色とに自動的に変更するが、この種の画像読取装置は特許文献４に公知である。そこでは、断面四角形状の基準板の各辺面に、白色の基準面と、黒色の基準面と、白から黒に至る中間諧調に設定された２種類の基準面を設けている。背景色を変更する場合には、背景体をその軸心回りに回転変位させて、先のいずれかの背景面を原稿読取位置に位置させる。背景体を回転するとき、背景体がスキャナ機構と当接するのを避けるために、スキャナ機構の全体を背景体の回転軌跡の外へスライド変位させている。なお、前記基準板は、各基準面からシェーディング補正用のデータを取得し、これらのデータを用いて画像信号のリニアリティを補正するために設けてあり、斜行補正を行うためではない。
【０００５】
【特許文献１】特開２００３−３４８３０１号公報（段落番号００２２、図２）
【特許文献２】特開２００３−２１９１１７号公報（段落番号００１７、図３）
【特許文献３】特開２００５−１３６７９２号公報（段落番号００３７、図３）
【特許文献４】特開平１０−４２１１１号公報（段落番号００２２、図５）
【発明の開示】
【発明が解決しようとする課題】
【０００６】
特許文献１、２、３の画像読取装置では、原稿読取時の背景色の変更を自動的に行なえる。また、背景色の変更を手動で行なう場合に避けられない白色基準板の汚れを解消できる。しかし、通常の原稿読取時と、シェーディングデータを読み込む時のいずれの場合も、同じ白色面を共通して使用している。そのため、通紙経路を通過する原稿の汚れやごみによって白色面が汚損されるのを避けられない。白色面と通紙経路との間に透明な板ガラスを配置すると、前述のような白色面の汚れを防止できる。しかし、板ガラスを配置する分だけコストが嵩むうえ、原稿読取位置と白色面の位置が板ガラスの厚み寸法分だけ離れるため、的確なシェーディングデータが得られにくくなる。
【０００７】
特許文献４の画像読取装置では、背景体を回転させるとき、スキャナ機構の全体を背景体の回転軌跡の外へスライド変位させる必要があるので、背景体の背景面を使い分けるのに余分な時間が掛かる。また、スキャナ機構の全体をスライド変位させるので、スキャナ機構をスライド操作するための構造が大掛かりになり、画像読取装置のコストが嵩むのを避けられない。
【０００８】
本発明の目的は、原稿読取時の背景面の変更を自動的に行なって、背景面を使い分けることにより、常に的確なシェーディングデータを取得できる画像読取装置を提供することにある。本発明の目的は、より簡単な構造で背景面を自動的に変更することができ、その分だけ画像読取装置のコストを削減することにある。
【課題を解決するための手段】
【０００９】
本発明の画像読取装置は、原稿搬送路を挟んで画像読取部と、複数の背景面を備えた背景体とが配置してある。背景体を回転操作する駆動構造と、背景面と読取ガラスとの対向間隔を規定する規制体とを設ける。規制体の周面に位置決め面と、隣接する位置決め面を連続させる曲面状のガイド面とを形成する。
【００１０】
規制体の両端は、ベースフレームで回転自在に支持する。しかも、規制体を読取ガラスに対して接近ないし遠ざかる向きへスライド可能に支持する。記規制体は、ばねで読取ガラスへ向かって付勢する。
【００１１】
駆動構造は、背景体の読取範囲の外に配置される受動体と、受動体を介して背景体を所定角度づつ回転操作する切換具と、切換具を往復操作するソレノイドを含んで構成する。
【００１２】
背景体の読取範囲の外に、読取ガラスと正対している前記背景面を検知するセンサーを設ける。
【００１３】
背景体の外面に、複数個の背景面を設ける。各背景面における原稿搬送方向の上流側に、原稿が各背景面に接触するのを規制する突起を形成する。
【００１４】
切換具は、ソレノイドの出力ロッドに固定されるホルダーと、ホルダーに装着されて、切換具を回転操作する操作ピースとを含む。操作ピースは、駆動位置と、退避位置とに揺動できる状態でホルダーに装着する。操作ピースは、復帰ばねで駆動位置へ向かって付勢する。
【００１５】
本発明の別の画像読取装置は、原稿搬送路を挟んで画像読取部と、背景体とが配置してある。背景体は、それぞれ白色の背景面を備えた一対の板状体で構成し、板状体を回動操作する駆動構造を設ける。
【００１６】
駆動構造は、正逆転モータと、正逆転モータの回転動力を一対の板状体に伝動するギヤとを含んで構成する。
【発明の効果】
【００１７】
本発明の画像読取装置では、原稿搬送路を挟んで画像読取部と、複数の読取背景面を備えた背景体とを配置し、背景体には複数の背景面を設けるようにした。また、背景体用の駆動構造と規制体とを設けて、背景体の姿勢を駆動構造で切り換えた状態において、規制体の周面に設けた位置決め面で、背景面と読取ガラスとの対向間隔を適正量に規定できるようにした。
【００１８】
上記のように、複数の背景面を備えた背景体用の姿勢を駆動構造で切り換えて、通常コピー用の背景面や、シェーディング補正用の背景面などを読取ガラスを正対させるようにすると、原稿読取時の背景面の変更を自動的に行なえる。また、背景面を使い分けることにより、常に適正なシェーディングデータを取得して、シェーディング補正を的確に行える。背景体の姿勢を切り換えた状態において、背景面と読取ガラスとの対向間隔を規制体で厳密に規定できるので、各背景面による色補正を常に適正に行なうことができる。規制体に設けられて隣接する位置決め面の端部を曲面状のガイド面で連続させるので、背景体の姿勢を駆動構造で切り換えるときの規制体の回転動作を、抵抗が少なく円滑なものとすることができる。
【００１９】
規制体をベースフレームで回転自在に、しかもスライド可能に支持する画像読取装置によれば、規制体と背景体とを回転させながら、同時に読取ガラスから遠ざかる向きへスライド変位させて、規制体と背景体とを支障なく回転変位できる。さらに、背景体をばねで読取ガラスへ向かって付勢するので、回転時の背景体の回転中心と前記読取ガラスとの距離変化をばねで吸収して、姿勢が切り換わった背景体を適正な姿勢で読取ガラスに密着しその状態を保持できる。したがって、スキャナ機構の全体を背景体の回転軌跡の外へスライド変位させる必要があった従来の装置に比べて、姿勢切り換え構造を簡素化して、その分だけ画像読取装置の製造に要するコストを削減できる。構造が簡単な分だけ、故障の可能性を低くできる利点もある。
【００２０】
受動体と、受動体を介して背景体を回転操作する切換具と、切換具を往復操作するソレノイドなどで構成した駆動構造によれば、ソレノイドの出力ロッドが一往復するだけで、背景体の背景面を次ぎの背景面へと姿勢を切り換えることができる。したがって、背景体の背景面の切り換えを迅速に、しかも過不足なく行なうことができる。駆動構造の全体構造が複雑のなるのを避けて、コストを削減できる利点もある。
【００２１】
背景体の読取範囲の外にセンサーを設けて、現在、読取ガラスと正対している背景面がどれであるかを特定できるようにすると、各種の処理を行なう場合に、読取ガラスに対して必要な背景面を適正に正対させることができる。また、どの背景面が読取ガラスと正対しているかを確認する必要がない分だけ使用者の手間を省いて、画像読取装置を快適に使用できる。
【００２２】
背景体の外面に、複数個の背景面を設け、各背景面における原稿搬送方向の上流側に突起を形成した画像読取装置によれば、突起で原稿を受け止めて、原稿が各背景面に接触するのを規制できる。したがって、原稿に付着した汚れやごみで背景面が汚損されるのを防いで、背景面の状態を長期にわたって適正な状態に保持できる。
【００２３】
ソレノイドの出力ロッドに固定されるホルダーと、ホルダーで揺動可能に支持した操作ピースと、操作ピースを復帰する方向へ付勢する復帰ばねで構成した切換具によれば、出力ロッドが変位するときの動作のみで背景体を回転操作できる。また、背景体を切り換え操作した後の切換具は、復帰ばねのばね力によって戻される。そのとき、操作ピースは受動体を乗り越えて元の状態へ戻る。したがって、背景体の姿勢を変更する場合に限ってソレノイドを駆動すればよく、その分だけ画像読取装置の電力消費を削減できる。背景体を切り換え操作したのち、操作ピースが戻るときの復帰動作によって背景体が動かされることもない。
【００２４】
本発明の別の画像読取装置では、一対の板状体からなる背景体を駆動構造で切り換え操作して、一対の板状体の背景面を択一的に読取ガラスと正対できるように構成した。このように、一対の板状体の姿勢を駆動構造モータ動力で切り換えることにより、原稿読取時の背景面の変更を自動的に行なえる。また、背景面を使い分けることにより、常に適正なシェーディングデータを取得して、シェーディング補正を的確に行える。両板状体を読取ガラスと正対しない姿勢にして、板状体の間の黒色の虚空を利用して背景面とする場合には、別途黒色の背景面を用意する必要がない点でも有利である。
【００２５】
正逆転モータと、正逆転モータの回転動力を伝動するギヤなどで駆動構造を構成すると、各板状体をモータ動力で単に正逆転するするだけで背景面の変更を自動的にしかも的確に行なえる。例えばソレノイドを駆動源とする駆動構造や、個々の板状体を専用のモーターで回転駆動するような場合に比べて、駆動構造の全体を簡素化できる。
【発明を実施するための最良の形態】
【００２６】
（実施例）  図１ないし図８は本発明に係る画像読取装置をコピー機能とファクシミリ機能を備えた複合機に適用した実施例を示す。図２において複合機は、原稿の内容をイメージデータとして読み取る画像読取装置１と、画像読取装置１の下方に配置される画像記録装置２とで構成してある。画像読取装置１は、一群の操作ボタンを備えた操作パネル３と、押えカバー４と、押えカバー４の内部に設けられる自動原稿搬送装置５などで構成してある。画像記録装置２は、給紙カセット７と、感光体ユニット８と、同ユニット８にトナーを供給するトナーカートリッジ９と、ローラ群および搬送ガイドを備えた用紙搬送構造１０などで構成してある。給紙カセット７から送出された記録用紙は、用紙搬送構造１０に沿って搬送され、感光体ユニット８によって画像を記録したのち排出される。
【００２７】
図２において自動原稿搬送装置５は、下方のトレイ１２から上方の原稿排出部１３に至るＵ字状の原稿搬送路１４を備えている。原稿搬送路１４の始端には導入ローラ１５が配置され、終端には排出ローラ１６が配置してある。原稿搬送路１４の中途部には、一群の送りローラ１７・１８・１９・２０・２１と、一方の原稿面を読み込む第１画像読取部（画像読取部）２２と、一方の原稿面を読み込む第２画像読取部（画像読取部）２３とが配置してある。原稿搬送路１４を間に挟んで各画像読取部２２・２３と正対する位置には、それぞれ複数の読取背景面を備えた背景体２４・２４が配置してある。
【００２８】
図３において第１画像読取部２２は、フレーム２６の内部に光源２７と、光学レンズ２８と、固体撮像素子（ＣＣＤ素子）２９を配置して構成してある。フレーム２６の下面には原稿搬送路１４に臨む読取窓３０が開口され、透明な読取ガラス３１で塞いである。第２画像読取部２３も同様に構成してある。
【００２９】
背景体２４は、金属製の３個の辺面を備えた枠体３４と、枠体３４の各辺面の外面に形成される背景面３５・３６・３７と、枠体３４の長手方向の両端に固定される支軸３８、および支軸３８の基端に設けられる規制体３９とで構成する。背景面３５・３６・３７はそれぞれ帯状のシート体を各辺面に接着して形成する。図１において枠体３４の下面に位置する背景面３５の呈色状態は黒であり、枠体３４の側面および上面に位置する背景面３６・３７の呈色状態はそれぞれ白である。支軸３８および規制体３９は、後述する駆動構造４３とともに、画像読取部２２の読取範囲の外に設けてある。原稿の読み取りまたは斜行補正において、背景面３５・３６・３７と読取ガラス３１は互いに平行な関係となり、背景面３５・３６・３７と読取ガラス３１の距離は一定となるので、原稿の読み取りまたは斜行補正の精度が向上する。枠体３４の各背景面３５・３６・３７が読取ガラス３１と正対する状態において、各辺面の原稿搬送方向の上流側にはリブ状の突起４０が形成してある。突起４０の突端は、背景面３５・３６・３７の表面より突出しており、したがって読取原稿が背景面３５・３６・３７の表面に接触するのを防止できる。
【００３０】
背景体２４を回転操作して、必要な背景面３５・３６・３７を各画像読取部２２・２３と正対させるために、一対の支軸３８をベースフレーム４１に設けた軸受体４２で回転可能に支持する。さらに、背景体２４を駆動構造４３で回転操作できるようにしている。図１において、両支軸３８はベースフレーム４１の対向壁に設けたスライド溝４４で上下スライド自在に案内する。また、軸受体４２の下面を圧縮コイル形のばね４５で受け止めて、背景体２４をばね４５で読取ガラス３１へ向かって接近する向きに付勢する。これにより、背景体２４は支軸３８を中心にして回転しながら、読取ガラス３１と接近ないし遠ざかる向きへスライドできる。
【００３１】
規制体３９は、背景体２４に設けた各背景面３５・３６・３７と、読取ガラス３１とを平行に対向させ、さらに両者の対向間隔を一定にするために設けてある。図３に示すように規制体３９は、正方形の四隅のそれぞれを丸めた板状体からなり、その周面に直線状の辺部からなる４個の位置決め面４８と、隣接する位置決め面４８を連続させる部分円弧状のガイド面４９とが形成してある。各位置決め面４８と、先に説明した背景面３５・３６・３７とは平行に設けてある。各位置決め面４８が読取ガラス３１と当接する状態においては、背景体２４の全体がばね４５で読取ガラス３１へ向かって押されているので、背景体２４および規制体３９が不用意に回転することはない。なお、位置決め面４８が読取ガラス３１以外と当接するようにしてもよい。
【００３２】
駆動構造４３は、図４に向かって左側の支軸３８の突端に固定される受動体５１と、この受動体５１を９０度ずつ回転操作する切換具５２と、切換具５２を往復駆動するソレノイド５３と、復帰ばね５４とで構成する。
【００３３】
受動体５１は、ラチェット体５６と、ラチェット体５６の外面に形成される４個の受動爪５７とを一体に備えている。ラチェット体５６は、先に説明した規制体３９よりひとまわり小さな相似体として形成してあり、４個の辺部のそれぞれにＶ字状のラチェット溝５８が凹み形成してある。ラチェット体５６の下面側に位置するラチェット溝５８と、同溝５８に落ち込み係合するラチェット爪５９とによって、背景体２４の回転を規制している。ラチェット爪５９はばね板で形成してある。４個の受動爪５７はＬ字状のリブ状突起で形成されて鉤十字状に配置してある（図１参照）。個々の受動爪５７における先端部および外側の隅部分は、切換具５２の滑りをよくするために、それぞれ部分円弧状に丸めてある。
【００３４】
切換具５２は、ソレノイド５３の出力ロッド６２の上端に固定されるホルダー６３と、ホルダー６３に装着されて、先の受動爪５７を押し上げ操作する操作ピース６４と、操作ピース６４を駆動位置へ向かって付勢する復帰ばね６５とで構成する。ホルダー６３は、上面が丸められたボスと、ボスの上面に突設される横断面が門形のブラケット６６とを一体に備えている。操作ピース６４は三角形状の板状体からなり、前述のブラケット６６の対向壁の内部に配置されて、ピン６７で上下方向へ揺動可能に支持してある。つまり、操作ピース６４は、駆動位置と、退避位置とに揺動できる状態でホルダー６３に装着してある。ブラケット６６の横開口から突出する操作ピース６４の突端には、受動爪５７を押し上げ操作する水平の操作爪６８が形成してある。
【００３５】
復帰ばね６５は捻じりコイルバネからなり、一方のばね腕が操作ピース６４の上端面に掛止され、他方のばね腕がボスの周面に設けたばね受け片６９に掛止してある。常態における操作ピース６４は、その垂直の辺部がブラケット６６の縦壁で受け止められて、図１に示す待機位置に位置保持されている。したがって、操作ピース６４は操作爪６８が待機位置から上向きに揺動する向きに限って揺動できる。復帰ばね５４は引っ張りばねからなり、その一端がホルダー６３のボスに設けた掛止腕７０に掛止され、他端がベースフレーム４１に設けた突起７１に掛止してある。
【００３６】
読取ガラス３１と正対している背景面３５・３６・３７を特定するために、図４に向かって右側の支軸３８の突端に検知ディスク７４を固定し、検知ディスク７４の回転軌跡を間にして投受光式の光センサー（センサー）７５を配置している。光センサー７５は、各背景面３５・３６・３７が読取ガラス３１と正対するごとに、受光部から受光信号を出力する。受光信号を受けた制御装置は、基準位置から何回受光信号を受け取ったかをカウントして、読取ガラス３１と正対している背景面３５・３６・３７を特定できる。
【００３７】
次に、駆動構造４３による背景体２４の切り換え動作を説明する。通常のコピーを行なう場合には、図３に示すように白色の背景面３７を読取ガラス３１と正対させておく。この状態において、シェーディング補正用の白色の背景面３６は原稿搬送路１４の外方に保持されている。
【００３８】
シェーディング補正を行う場合には、制御装置から出力される駆動信号によってソレノイド５３が起動され、その出力ロッド６２が図１において上向きに進出操作される。すると、操作ピース６４の操作爪６８が受動爪５７の先端に当接して、受動体５１を図１に向かって時計回りに回転させる。このとき、背景体２４および規制体３９が受動体５１と同じ方向へ回転する。
【００３９】
背景体２４および規制体３９が時計回りに回転し始めると、それまで読取ガラス３１に密着していた位置決め面４８の一方の端部が読取ガラス３１に当接し、やがて部分円弧状のガイド面４９が読取ガラス３１に当接する（図５参照）。このとき、背景体２４および規制体３９は、ばね４５を押し下げ変形させながら読取ガラス３１から遠ざかる向きへスライドして、支軸３８の中心から読取ガラス３１の下面までの距離の変動をばね４５が吸収する。背景体２４が時計回りに回転し始めてから４５度以上回転した状態を図５に示している。この状態では、受動爪５７の先端が操作爪６８の基端部寄りに当接しており、ラチェット爪５９はラチェット体５６の部分円弧面に乗り上がっている。図５においては、出力ロッド６２の進出方向を矢印ａで、背景体２４の回転方向を矢印ｂで示している。
【００４０】
図５に示す状態からさらに出力ロッド６２を上向きに進出して受動体５１を回転させ、背景体２４が回転し始めてから９０度だけ回転すると、図６に示すように規制体３９の新たな位置決め面４８が読取ガラス３１に当接する。このときの操作爪６８の位置を図６に想像線で示している。この状態では、ラチェット爪５９がラチェット溝５８に落ち込んで、ラチェット体５６を回転できない状態に保持する。同時に光センサー７５から制御装置に対して受光信号が出力される。このときの背景体２４は、図７に示すようにシェーディング補正用の白色の背景面３６が読取ガラス３１と正対する。これにより、原稿の汚れやごみなどで汚されていない白色の背景面３６を画像読取部２２と正対させて、適正なシェーディングデータを取得することができる。
【００４１】
新たな背景面３６が読取ガラス３１と正対したことは、光センサー７５から受光信号が出力されることで判定できるので、その時点で制御装置はソレノイド５３への通電を停止する。そのため、出力ロッド６２は復帰ばね５４で引き戻されて下降する。このとき、下方へ移動する操作爪６８が、操作爪６８より下方に位置する受動爪５７の外面に当接する。受動爪５７で受け止められた操作ピース６４の全体は、図６に実線で示すように、復帰ばね６５の弾性に逆らいながらピン６７を中心にして反時計回りに揺動して、受動爪５７を乗り越える。受動爪５７を乗り越えた操作ピース６４は復帰ばね６５の弾性で待機位置へ復帰する。
【００４２】
上記の一連の切り換え動作を再び行なうと、図８に示すように黒色の背景面３５を読取ガラス３１と正対させることができる。この状態では、原稿の背景の全体が黒色となるので、原稿の斜行補正を行なうことができる。この後、切り換え動作を２回繰り返すことにより、白色の背景面３７を読取ガラス３１と正対させて、通常のコピーを行なうことができる。制御装置においては、通常コピー用の背景面３７が読取ガラス３１と正対するごとに、光センサー７５から出力された受光信号の数を１にリセットして、カウンターを初期状態に戻す。なお、どの背景面３５・３６・３７を読取ガラス３１と正対させるかは、基本的に制御装置に組み込まれたプログラムに従って自動的に決定するが、必要に応じて使用者が入力する開始信号に基づいて選定することができる。
【００４３】
以上のように構成した駆動構造４３によれば、通常のコピーを行なう場合と、シェーディング補正を行う場合と、原稿の斜行補正を行う場合とで、背景体２４の姿勢を自動的に切り換えて、適正な背景面３５・３６・３７を読取ガラス３１と正対させることができる。したがって、各背景面３５・３６・３７の変更を手動で行なう場合に避けられない、白色の背景面３６・３７の汚れを解消できる。
【００４４】
また、白色の背景面３６・３７を通常用と補正用に使い分けるので、通常の画像読取作業を行なう場合に、補正用の背景面３６が原稿搬送路１４に臨むのを解消できる。したがって、シェーディング補正用の背景面３６が原稿と接触するを避けて、原稿の汚れやごみなどで背景面３６が汚されるのを確実に防止し、シェーディング補正用の背景面３６の呈色状態を長期にわたって適正な状態に保持し、常に適正な補正データを取得できる。原稿搬送路１４とシェーディング補正用の背景面３６を板ガラスで隔離する場合に比べて、より的確なシェーディングデータを得ることができる。
【００４５】
背景体を３個の辺面を備えた枠体３４で形成し、各辺面の外面に白色および黒色のシート体をそれぞれ配置して背景面３５・３６・３７を形成すると、シート体を交換することで各背景面３５・３６・３７を更新できる。例えば、背景面３５・３６・３７に付着した汚れを払拭し除去する場合に比べて、より簡便に背景面３５・３６・３７を更新してメンテナンスの手間を軽減でき、しかも背景面３５・３６・３７の呈色状態をより良好なものとすることができる。
【００４６】
図９から図１３は背景体２４および駆動構造４３の別の実施例を示す。そこでは、背景体２４を一対の板状体８１・８２で構成する。各板状体８１・８２はプラスチック成形品からなり、その片面に白色の背景面８３・８４が設けてある。各板状体８１・８２の両端には支軸３８が設けてあり、これらの支軸３８はベースフレーム４１に固定した軸受体４２で回転可能に支持してある。各板状体８１・８２を同時に揺動操作して、使用姿勢と待機姿勢とに切り換えるために、ベースフレーム４１の一側に駆動構造４３を設けている。使用位置における各板状体８１・８２は、それぞれ白色の背景面８３・８４が読取ガラス３１と正対し、待機位置における各板状体８１・８２は、図９および図１３に示すように背景面８３・８４が傾斜する姿勢で垂れ下がる。
【００４７】
駆動構造４３は、正逆転モータ８５と、正逆転モータ８５の回転動力を支軸３８と平行な軸回りの回転動力に変換するウォーム軸８６およびウォームギヤ８７と、ウォームギヤ８７の回転動力を各板状体８１・８２に伝動するギヤ８８・８９で構成する。ウォーム軸８６およびウォームギヤ８７は、正逆転モータ８５の回転動力を減速する減速機構としても機能している。
【００４８】
図１１においてギヤ８８・８９は、一対の板状体８１・８２を支持する支軸３８に固定してある。一対の板状体８１・８２は、モータ８５が正転し、あるいは逆転するとき、互いに接触しないように逆向きに回動して使用位置と待機位置との間を往復する。また、図９および図１３に示すように一方の板状体８２が読取ガラス３１と正対して使用位置にあるとき、待機位置にある他方の板状体８１の背景面８３は斜め下向になっている。図１０に示すように、終段ギヤ８８が設けられる支軸３８の他端には、検知ディスク７４を固定し、検知ディスク７４の回転軌跡を間にして投受光式の光センサー（センサー）７５を配置している。
【００４９】
通常のコピーを行なうときは、図９に示すように、原稿の搬送方向の上流側に位置する板状体８２の背景面８４を読取ガラス３１と正対させる。また、シェーディング補正を行うときは、図１３に示すように、原稿の搬送方向の下流側に位置する板状体８１の背景面８３を読取ガラス３１と正対させる。さらに、原稿の斜行補正を行う場合には、図１２に示すように、一対の板状体８１・８２のそれぞれが斜めに傾斜してＶ字状になる状態として、両板状体８１・８２の間の黒色の虚空を背景面とする。この状態における各板状体８１・８２は、使用姿勢と待機姿勢の中途位置にある。
【００５０】
以上のように、駆動構造４３で使用姿勢と待機姿勢とに往復変位できるようにした背景体によれば、白色の背景面８３・８４を通常用と補正用に使い分けて、通常の画像読取作業を行なう場合に、補正用の背景面８３が原稿搬送路１４に臨むのを解消できる。したがって、シェーディング補正用の背景面８３が原稿と接触するを避けて、原稿の汚れやごみなどで背景面８３が汚されるのを確実に防止し、シェーディング補正用の背景面８３の呈色状態を長期にわたって適正な状態に保持し、常に適正な補正データを取得できる。また、一対の板状体８１・８２を互いに逆向きに揺動変位させて姿勢を切り換えるので、通常のコピーを行なうときと、シェーディング補正を行うときと、原稿の斜行補正を行うときとで、背景状態の切り換えを迅速に行なうことができる。
【００５１】
上記の実施例では、規制体３９の周面の４箇所に位置決め面４８を設けたが、位置決め面４８は背景面３５・３６・３７と同数個あればよい。ソレノイド５３は、出力ロッド６２がソレノイド本体の側へ退縮するときの動作で切換具５２を操作するものであってもよい。センサー７５は光センサーである必要はなく、近接スイッチやマイクロスイッチなどのセンサーを適用できる。一対の板状体８１・８２は、それぞれ専用のモータで駆動することができる。必要があればソレノイドを駆動源にして一対の板状体８１・８２を駆動することができる。
【００５２】
本発明の画像読取装置は、複合機以外に、コピー機、ファクシミリ機、スキャナ機にも適用できる。上記の実施例においては、３個の辺面を備えた枠体３４を基体にして背景体２４を構成したがその必要はなく、背景体２４は断面多角形状の柱状体ないし枠状体で形成することができる。通常用の背景面と、シェーディング補正を行なうための背景面は、それぞれ複数の辺面に設けることができる。板状体８１・８２は、揺動により使用姿勢と待機姿勢とに切り換える必要はなく、斜めに平行移動させて使用姿勢と待機姿勢とに切り換えることができる。
【図面の簡単な説明】
【００５３】
【図１】背景体の駆動構造を示す縦断面図である。
【図２】複合機の概略構造を示す配置説明図である。
【図３】背景体と画像読取部の関係構造を示す縦断面図である。
【図４】背景体の駆動構造を示す縦断側面図である。
【図５】駆動構造の切り換え途中状態を示す縦断面図である。
【図６】駆動構造の切り換えが終了した状態を示す縦断面図である。
【図７】駆動構造の切り換えが終了した時の背景体の状態を示す縦断面図である。
【図８】背景体をさらに別の姿勢に切り換えた状態の縦断面図である。
【図９】背景体の別の実施例を示す縦断面図である。
【図１０】図９の背景体に係る駆動構造を示す横断平面図である。
【図１１】図９の背景体に係る駆動構造の縦断面図である。
【図１２】図９の背景体を別の姿勢に切り換えた状態の縦断面図である。
【図１３】図９の背景体をさらに別の姿勢に切り換えた状態の縦断面図である。
【符号の説明】
【００５４】
１４  原稿搬送路
２２  第１画像読取部（画像読取部）
２３  第２画像読取部（画像読取部）
２４  背景体
３１  読取ガラス
３５  背景面
３６  背景面
３７  背景面
３９  規制体
４１  ベースフレーム
４３  駆動構造
４４  スライド溝
４５  ばね
４８  位置決め面
４９  ガイド面
【図１】
2009290801.tif 000003
【図２】
2009290801.tif 000004
【図３】
2009290801.tif 000005
【図４】
2009290801.tif 000006
【図５】
2009290801.tif 000007
【図６】
2009290801.tif 000008
【図７】
2009290801.tif 000009
【図８】
2009290801.tif 000010
【図９】
2009290801.tif 000011
【図１０】
2009290801.tif 000012
【図１１】
2009290801.tif 000013
【図１２】
2009290801.tif 000014
【図１３】
2009290801.tif 000015